【手続補正書】
【提出日】平成29年6月5日(2017.6.5)
【手続補正１】
【補正対象書類名】特許請求の範囲
【補正対象項目名】全文
【補正方法】変更
【補正の内容】
【特許請求の範囲】
【請求項１】
台座を構成する桁材に、断面略円筒形状の回転圧入鋼管杭を連結固定するための回転圧入鋼管杭の接続金具において、
前記回転圧入鋼管杭の側面に取り付けるための取付部と、前記取付部から延伸するようにして形成された支持部を有する一対の保持部材と、
一対の前記保持部材の互いの支持部同士を下側から支持可能な長さに形成された一対の下部側固定部材と、
前記桁材の上部に配置される上部側固定部材と、
前記上部側固定部材と一対の前記下側固定部材のそれぞれとを連結固定することにより前記桁部材を介して前記保持部材を挟持して前記転回圧入鋼管杭を前記桁部材に固定する締め付けボルトと、
を備えて構成されたことを特徴とする回転圧入鋼管杭の接続金具。
【請求項２】
請求項１に記載の回転圧入鋼管杭の接続金具において、
前記保持部材は、
平板状の上部フランジと下部フランジを備え、
前記上部フランジと下部フランジの略中間位置には前記回転圧入鋼管杭の外側曲面に即した形状の凹型ウェブが配置され、前記凹型ウェブには固定ボルトを挿通するためのボルト孔が複数設けられると共に、前記凹型ウェブの左右には平板状の平型ウェブがそれぞれ配置され、さらに、所定箇所に補強のためのリブが設けられていることを特徴とする回転圧入鋼管杭の接続金具。
【請求項３】
請求項１又は２に記載の回転圧入鋼管杭の接続金具において、
前記上部側固定部材及び／又は前記下側固定部材は、断面が略四角形状の中空部を有する部材であることを特徴とする回転圧入鋼管杭の接続金具。
【請求項４】
請求項１から３のいずれか１項に記載の回転圧入鋼管杭の接続金具において、
前記保持部材の前記凹型ウェブには、当該凹型ウェブの曲面に即した凹面形状を有する外側補強板が配置されると共に、前記外側補強板に対向する位置の前記回転圧入鋼管杭の内側には前記回転圧入鋼管杭の曲面に即した凹面形状を有する内側補強板が配置されたことを特徴とする回転圧入鋼管杭の接続金具。
【請求項５】
請求項１から４のいずれか１項に記載の回転圧入鋼管杭の接続金具において、
前記桁材と前記保持部材との間に緩衝部材を配置したことを特徴とする回転圧入鋼管杭の接続金具。
【手続補正２】
【補正対象書類名】明細書
【補正対象項目名】０００３
【補正方法】変更
【補正の内容】
【０００３】
一方、基礎杭の一つとして図６に示すような回転圧入鋼管杭が知られている。図示された回転圧入鋼管杭１００は、断面が円形状の鋼管１０１の先端側（下端側）に羽根１０２を取り付けた鋼管杭であり、施工に当たっては全旋回機等を用いて回転圧入鋼管杭１００を地中に回転圧入する。その際、先端羽根のくさび効果で推進力が発揮され、回転圧入鋼管杭１００のスムーズな打設が可能となる。この回転圧入鋼管杭１００は狭い場所での使用が可能であること、地中に静かに捻じ込むことが可能であること、先端の羽根によって硬い地盤へ確実に打設することが可能であること、残土が発生しないこと等の特徴を備えている。このような回転圧入鋼管杭１００としては、例えば「ＮＳエコパイル」（新日鉄住金エンジニアリング株式会社の登録商標）などがある。
【手続補正３】
【補正対象書類名】明細書
【補正対象項目名】０００６
【補正方法】変更
【補正の内容】
【０００６】
一方、回転圧入鋼管杭を支持杭として使用すれば、作業が終了した後での引き抜きもＨ形鋼の場合に比べて容易であり、しかも引き抜いた後でも再び支持杭として再使用することもできるのでコストの低減に寄与することが推察される。また、セメント系懸濁液を使用しないことで環境にも配慮した工法を提供することができる。
【手続補正４】
【補正対象書類名】明細書
【補正対象項目名】０００９
【補正方法】変更
【補正の内容】
【０００９】
上記課題を解決するために請求項１に記載の本発明は、台座を構成する桁材に、断面略円筒形状の回転圧入鋼管杭を連結固定するための回転圧入鋼管杭の接続金具において、前記回転圧入鋼管杭の側面に取り付けるための取付部と、前記取付部から延伸するようにして形成された支持部を有する一対の保持部材と、一対の前記保持部材の互いの支持部同士を下側から支持可能な長さに形成された一対の下部側固定部材と、前記桁材の上部に配置される上部側固定部材と、前記上部側固定部材と一対の前記下側固定部材のそれぞれとを連結固定することにより前記桁部材を介して前記保持部材を挟持して前記転回圧入鋼管杭を前記桁部材に固定する締め付けボルトとを備えて構成されたことを特徴とする。
【手続補正５】
【補正対象書類名】明細書
【補正対象項目名】００２３
【補正方法】変更
【補正の内容】
【００２３】
［回転圧入鋼管杭の接続金具の使用方法］
次に、上述した回転圧入鋼管杭の接続金具の使用方法について説明する。初めに、回転圧入鋼管杭２０を打設するための杭打機５０の構成について説明する。図５は杭打機５０の構成及び杭打ち工程を示す説明図である。杭打機５０は、図５に示すように、運転室を有する車体５１と、この車体５１より立設可能なリーダ５２と、このリーダ５２を支えるステー５３と、リーダ５２の頂部より下降しながら１本目の回転圧入鋼管杭２０ａを地中に貫入するモータ５４と、回転圧入鋼管杭２０ａの下端を保持して回転圧入鋼管杭２０が振れるのを防止する振れ止め５５とを備えて構成されている。
【手続補正６】
【補正対象書類名】明細書
【補正対象項目名】００２４
【補正方法】変更
【補正の内容】
【００２４】
次に、杭打機５０による回転圧入鋼管杭２０の打設について説明する。初めに、図示しないタワークレーンの建設予定地に杭打機５０を搬入する。そして、図５（ａ）に示すように、１本目の回転圧入鋼管杭２０ａの上端を杭打機５０のモータ５４に取り付け、回転圧入鋼管杭２０ａの下端を振れ止め５５の内部に挿通する。次に、モータ５４を駆動して回転圧入鋼管杭２０ａを回転させながら下降させ、その過程で羽根１０２を地中にねじ込ませながら回転圧入鋼管杭２０ａを徐々に下降させていく。図５（ｂ）に示すように、モータ５４が地表近くまで下降した時点でモータ５４の駆動を停止する。そして、必要があれば２本目の回転圧入鋼管杭２０ｂの上端をモータ５４に取り付けて溶接によって回転圧入鋼管杭２０ｂの下端を１本目の回転圧入鋼管杭２０ａの上端に連結する。その後、圧入鋼回転管杭２０ａの場合と同様にして回転圧入鋼管杭２０ｂの圧入を実施する。この状態が図５（ｃ）である。以下、同様にして回転圧入鋼管杭２０を桁材であるＨ形鋼１０Ａ，１０Ｂに対応する所定位置に打設する。
【手続補正７】
【補正対象書類名】明細書
【補正対象項目名】００２８
【補正方法】変更
【補正の内容】
【００２８】
また、上述の手順とは異なる回転圧入鋼管杭の接続金具１の別の取付方法として以下に示す手順を用いることもできる。４本の回転圧入鋼管杭２０を所定の箇所に打設し、一対の保持部材３２，３２を取り付ける。そして、締め付けボルト４ａ，４ｂの下端側に下部側固定部材３１，３１を配置すると共に、上端側に上部側固定部材６を配置し、ナット５ａ〜５ｄによってそれぞれ仮止め状態とする。そして、上部側固定部材６をＨ形鋼１０Ａ（または１０Ｂ）の上面に配置すると共に、一対の下部側固定部材３１，３１を保持部材３２，３２の下側に配置する。そして、ナット５ａ〜５ｄを締着することにより、上部側固定部材３及び一対の下部側固定部材３１，３１によってＨ形鋼１０Ａ，１０Ｂにしっかりと固定する。これを４箇所について実行することにより回転圧入鋼管杭の接続金具１の取り付けが完了する。最後に、図示しないタワークレーンを支持するマスト３０の下端をＨ形鋼１０Ａ，１０Ｂの保持具４０に挿入して固定する。
【手続補正８】
【補正対象書類名】明細書
【補正対象項目名】００３０
【補正方法】変更
【補正の内容】
【００３０】
１      回転圧入鋼管杭の接続金具
２ａ〜２ｆ      固定ボルト
４ａ，４ｂ      締め付けボルト
５ａ〜５ｄ      ナット
６      上部側固定部材
１０Ａ，１０Ｂ      Ｈ形鋼
２０，２０ａ，２０ｂ      回転圧入鋼管杭
３０      マスト
３１      下部側固定部材
３２      保持部材
３２ａ      上部フランジ
３２ｂ      下部フランジ
３２ｃ      凹型ウェブ
３２ｄ      平型ウェブ
３２ｅ      リブ
３４      緩衝部材
３５      内側補強板
３６      外側補強板
４０      保持具
５０      杭打機
１０２    羽根